(57)【特許請求の範囲】
【請求項１】
操作パネルと、
操作画面から設定されるカラーモードまたはモノクロモードの印刷色モード、原稿サイズ、コピー用紙サイズ、及び印刷部数を少なくとも含む原稿コピー情報を前記操作パネルから入力する操作パネル処理部と、
前記印刷色モード及び前記原稿コピー情報を少なくとも記憶する記憶部と、
画像形成装置を総合的に制御する制御部と、
原稿をページ毎に読み取る原稿読取部と、
前記原稿読取部により読み取った原稿の画像データを形成する画像形成部と、
前記画像データを前記原稿コピー情報に基づいて印刷する印刷部と、を備えた画像形成装置であって、
コピーボタンが押下されると、前記制御部は印刷色モード決定処理部を起動し、
前記印刷色モード決定処理部は、
ページ毎に前記画像データがカラーであるかモノクロであるかを判定して、カラーであるときはカラーページ数カウント値に１を加算し、モノクロであるときはモノクロページ数カウント値に１を加算し、前記カラーページ数カウント値と前記モノクロページ数カウント値とを加算した合計ページ数カウント値を算出し、
前記合計ページ数カウント値が１以上であるかを判定し、前記合計ページ数カウント値が１以上であるとき合計ページ数カウント値に対する前記カラーページ数カウント値の割合であるカラーページ割合を算出し、
前記カラーページ割合が予め決められたカラーページ割合の基準値以上であるかを判定し、
前記カラーページ割合が前記カラーページ割合の基準値以上であるとき、前記原稿コピー情報に含まれる前記印刷色モードがカラーモードおよびモノクロモードの何れであるかを判定し、
前記印刷色モードがカラーモードであるとき、前記画像データと前記原稿コピー情報とを格納した印刷要求通知を前記印刷部に出力し、
前記印刷色モードがモノクロモードであるとき、前記カラーページ割合が前記カラーページ割合の基準値以上である原稿に対してモノクロモードが設定されていることを通知するメッセージと、ユーザーによりモノクロモードをカラーモードに変更するモード変更ボタンとを、前記操作パネル処理部により前記操作パネルに表示させ、
前記カラーページ割合が前記カラーページ割合の基準値未満であるとき、前記原稿コピー情報に含まれる前記印刷色モードがモノクロモードおよびカラーモードの何れであるかを判定し、
前記印刷色モードがモノクロモードであるとき、前記画像データと前記原稿コピー情報とを格納した印刷要求通知を前記印刷部に出力し、
前記印刷色モードがカラーモードであるとき、前記カラーページ割合が前記カラーページ割合の基準値未満である原稿に対してカラーモードが設定されていることを通知するメッセージと、前記ユーザーによりカラーモードをモノクロモードに変更するモード変更ボタンとを、前記操作パネル処理部により前記操作パネルに表示させ、
前記カラーページ割合の基準値は、管理者だけにより設定され、前記ユーザーにより変更されないことを特徴とする画像形成装置。
【請求項２】
操作パネルと、
操作画面から設定されるカラーモードまたはモノクロモードの印刷色モード、原稿サイズ、コピー用紙サイズ、及び印刷部数を少なくとも含む原稿コピー情報を前記操作パネルから入力する操作パネル処理部と、
前記印刷色モード及び前記原稿コピー情報を少なくとも記憶する記憶部と、
画像形成装置を総合的に制御する制御部と、
原稿をページ毎に読み取る原稿読取部と、
前記原稿読取部により読み取った原稿の画像データを形成する画像形成部と、
前記画像データを前記原稿コピー情報に基づいて印刷する印刷部と、を備えた画像形成装置であって、
コピーボタンが押下されると、前記制御部は印刷色モード決定処理部を起動し、
前記印刷色モード決定処理部は、
ページ毎に前記画像データがカラーであるかモノクロであるかを判定して、カラーであるときはカラーページ数カウント値に１を加算し、モノクロであるときはモノクロページ数カウント値に１を加算し、前記カラーページ数カウント値と前記モノクロページ数カウント値とを加算した合計ページ数カウント値を算出し、
前記合計ページ数カウント値が１以上であるかを判定し、前記合計ページ数カウント値が１以上であるとき合計ページ数カウント値に対する前記モノクロページ数カウント値の割合であるモノクロページ割合を算出し、
前記モノクロページ割合が予め決められたモノクロページ割合の基準値以上であるかを判定し、
前記モノクロページ割合が前記モノクロページ割合の基準値以上であるとき、前記原稿コピー情報に含まれる前記印刷色モードがモノクロモードおよびカラーモードの何れであるかを判定し、
前記印刷色モードがモノクロモードであるとき、前記画像データと前記原稿コピー情報とを格納した印刷要求通知を前記印刷部に出力し、
前記印刷色モードがカラーモードであるとき、前記モノクロページ割合が前記モノクロページ割合の基準値以上である原稿に対してカラーモードが設定されていることを通知するメッセージと、ユーザーによりカラーモードをモノクロモードに変更するモード変更ボタンとを、前記操作パネル処理部により前記操作パネルに表示させ、
前記モノクロページ割合が前記モノクロページ割合の基準値未満であるとき、前記原稿コピー情報に含まれる前記印刷色モードがカラーモードおよびモノクロモードの何れであるかを判定し、
前記印刷色モードがカラーモードであるとき、前記画像データと前記原稿コピー情報とを格納した印刷要求通知を前記印刷部に出力し、
前記印刷色モードがモノクロモードであるとき、前記モノクロページ割合が前記モノクロページ割合の基準値未満である原稿に対してモノクロモードが設定されていることを通知するメッセージと、前記ユーザーによりモノクロモードをカラーモードに変更するモード変更ボタンとを、前記操作パネル処理部により前記操作パネルに表示させ、
前記モノクロページ割合の基準値は、管理者だけにより設定され、前記ユーザーにより変更されないことを特徴とする画像形成装置。
【発明の詳細な説明】
【技術分野】
【０００１】
本発明は、原稿の画像がカラーであるかモノクロであるかを判定する機能を備える画像形成装置に関する。
【背景技術】
【０００２】
プリンター又は複合機（Ｍｕｌｔｉｆｕｎｃｔｉｏｎ  Ｐｅｒｉｐｈｅｒａｌ）などの画像形成装置は、原稿をスキャナーで読み取り、原稿の画像を作成してコピー用紙に印刷する。また、モノクロとカラーの両方で印刷できる画像形成装置においては、ユーザーが原稿をモノクロで印刷するモノクロモードまたはカラーで印刷するカラーモードの設定を行わなければならない。しかし、前に設定されていたカラーモードでモノクロの原稿を印刷する、逆に前に設定されていたモノクロモードでカラーの原稿を印刷することがある。このようにカラーモードやモノクロモードを誤って設定して印刷すると、設定を正しく直した後に原稿を再び印刷することになり、印刷が無駄になる。このため、原稿の画像がカラーであるかモノクロであるかを判定する機能により、モノクロモードまたはカラーモードの設定を自動で行うようにすることで、無駄な印刷を防止する対策が行われている。例えば、特許文献１の画像判定装置および画像形成装置では、原稿画像がカラー画像、モノクロ画像、あるいは両者の判別が微妙な場合は不定画像と判定し、このページ毎の判定結果と不定画像と判定された原稿画像を表示する。このように判別が微妙な原稿画像を不定画像として表示することで、コピーを行う前に、ユーザーは適切なカラーモードまたはモノクロモードを不定画像に設定することで、ミスコピーを防止できる。
【先行技術文献】
【特許文献】
【０００３】
【特許文献１】特開２００１−８３７５９号公報
【発明の概要】
【発明が解決しようとする課題】
【０００４】
しかし、特許文献１の画像判定装置および画像形成装置では、ページ毎に原稿画像をカラーモードまたはモノクロモードで印刷するので、複数のページからなるカラー原稿を全て料金の安いモノクロで印刷することができないという問題があった。
【０００５】
本発明はこのような状況に鑑みてなされたものであり、上記課題を解決できる画像形成装置を提供することを目的とする。
【課題を解決するための手段】
【０００６】
本発明の画像形成装置は、操作パネルと、操作画面から設定されるカラーモードまたはモノクロモードの印刷色モード、原稿サイズ、コピー用紙サイズ、及び印刷部数を少なくとも含む原稿コピー情報を前記操作パネルから入力する操作パネル処理部と、
前記印刷色モード及び前記原稿コピー情報を少なくとも記憶する記憶部と、画像形成装置を総合的に制御する制御部と、原稿をページ毎に読み取る原稿読取部と、前記原稿読取部により読み取った原稿の画像データを形成する画像形成部と、前記画像データを前記原稿コピー情報に基づいて印刷する印刷部と、を備えた画像形成装置であって、
コピーボタンが押下されると、前記制御部は印刷色モード決定処理部を起動し、
前記印刷色モード決定処理部は、
ページ毎に前記画像データがカラーであるかモノクロであるかを判定して、カラーであるときはカラーページ数カウント値に１を加算し、モノクロであるときはモノクロページ数カウント値に１を加算し、前記カラーページ数カウント値と前記モノクロページ数カウント値とを加算した合計ページ数カウント値を算出し、
前記合計ページ数カウント値が１以上であるかを判定し、前記合計ページ数カウント値が１以上であるとき合計ページ数カウント値に対する前記カラーページ数カウント値の割合であるカラーページ割合を算出し、
前記カラーページ割合が予め決められたカラーページ割合の基準値以上であるかを判定し、
前記カラーページ割合が前記カラーページ割合の基準値以上であるとき、前記原稿コピー情報に含まれる前記印刷色モードがカラーモードおよびモノクロモードの何れであるかを判定し、
前記印刷色モードがカラーモードであるとき、前記画像データと前記原稿コピー情報とを格納した印刷要求通知を前記印刷部に出力し、
前記印刷色モードがモノクロモードであるとき、前記カラーページ割合が前記カラーページ割合の基準値以上である原稿に対してモノクロモードが設定されていることを通知するメッセージと、ユーザーによりモノクロモードをカラーモードに変更するモード変更ボタンとを、前記操作パネル処理部により前記操作パネルに表示させ、
前記カラーページ割合が前記カラーページ割合の基準値未満であるとき、前記原稿コピー情報に含まれる前記印刷色モードがモノクロモードおよびカラーモードの何れであるかを判定し、
前記印刷色モードがモノクロモードであるとき、前記画像データと前記原稿コピー情報とを格納した印刷要求通知を前記印刷部に出力し、
前記印刷色モードがカラーモードであるとき、前記カラーページ割合が前記カラーページ割合の基準値未満である原稿に対してカラーモードが設定されていることを通知するメッセージと、前記ユーザーによりカラーモードをモノクロモードに変更するモード変更ボタンとを、前記操作パネル処理部により前記操作パネルに表示させ、
前記カラーページ割合の基準値は、管理者だけにより設定され、前記ユーザーにより変更されないことを特徴とする。
また、本発明の画像形成装置は、操作パネルと、操作画面から設定されるカラーモードまたはモノクロモードの印刷色モード、原稿サイズ、コピー用紙サイズ、及び印刷部数を少なくとも含む原稿コピー情報を前記操作パネルから入力する操作パネル処理部と、前記印刷色モード及び前記原稿コピー情報を少なくとも記憶する記憶部と、画像形成装置を総合的に制御する制御部と、原稿をページ毎に読み取る原稿読取部と、前記原稿読取部により読み取った原稿の画像データを形成する画像形成部と、前記画像データを前記原稿コピー情報に基づいて印刷する印刷部と、を備えた画像形成装置であって、
コピーボタンが押下されると、前記制御部は印刷色モード決定処理部を起動し、
前記印刷色モード決定処理部は、
ページ毎に前記画像データがカラーであるかモノクロであるかを判定して、カラーであるときはカラーページ数カウント値に１を加算し、モノクロであるときはモノクロページ数カウント値に１を加算し、前記カラーページ数カウント値と前記モノクロページ数カウント値とを加算した合計ページ数カウント値を算出し、
前記合計ページ数カウント値が１以上であるかを判定し、前記合計ページ数カウント値が１以上であるとき合計ページ数カウント値に対する前記モノクロページ数カウント値の割合であるモノクロページ割合を算出し、
前記モノクロページ割合が予め決められたモノクロページ割合の基準値以上であるかを判定し、
前記モノクロページ割合が前記モノクロページ割合の基準値以上であるとき、前記原稿コピー情報に含まれる前記印刷色モードがモノクロモードおよびカラーモードの何れであるかを判定し、
前記印刷色モードがモノクロモードであるとき、前記画像データと前記原稿コピー情報とを格納した印刷要求通知を前記印刷部に出力し、
前記印刷色モードがカラーモードであるとき、前記モノクロページ割合が前記モノクロページ割合の基準値以上である原稿に対してカラーモードが設定されていることを通知するメッセージと、ユーザーによりカラーモードをモノクロモードに変更するモード変更ボタンとを、前記操作パネル処理部により前記操作パネルに表示させ、
前記モノクロページ割合が前記モノクロページ割合の基準値未満であるとき、前記原稿コピー情報に含まれる前記印刷色モードがカラーモードおよびモノクロモードの何れであるかを判定し、
前記印刷色モードがカラーモードであるとき、前記画像データと前記原稿コピー情報とを格納した印刷要求通知を前記印刷部に出力し、
前記印刷色モードがモノクロモードであるとき、前記モノクロページ割合が前記モノクロページ割合の基準値未満である原稿に対してモノクロモードが設定されていることを通知するメッセージと、前記ユーザーによりモノクロモードをカラーモードに変更するモード変更ボタンとを、前記操作パネル処理部により前記操作パネルに表示させ、
前記モノクロページ割合の基準値は、管理者だけにより設定され、前記ユーザーにより変更されないことを特徴とする。
【発明の効果】
【０００７】
本発明は、原稿の画像がカラーであってもモノクロで印刷でき、またカラーモードまたはモノクロモードの設定が誤っている可能性があるときに、ユーザーに確認できる画像形成装置を提供する。
【図面の簡単な説明】
【０００８】
【図１】本発明の実施形態に係る画像形成装置の機能構成を示す図である。
【図２】本発明の実施形態に係る印刷色モード決定処理のフローチャートである。
【発明を実施するための形態】
【０００９】
以下、本発明を実施するための形態（以下、「実施形態」という）を、図面を参照して説明する。実施形態の画像形成装置は、ユーザーがカラーモードまたはモノクロモードのいずれかを設定してコピー処理を開始すると、まず原稿のページ毎に画像がカラーであるかモノクロであるかを判定する。次いで、画像の全ページに対するカラー画像のページ数の割合（以下、「カラーページ割合」という）が予め決められたカラーページ割合の基準値以上のときに、コピー処理を開始するときにカラーモードが設定されていれば、カラーモードで印刷を行う。また、カラーページ割合が予め決められたカラーページ割合の基準値未満のときに、コピー処理を開始するときにモノクロモードが設定されていれば、モノクロモードで印刷を行う。
【００１０】
実施形態における画像形成装置１００の機能構成について、図１を用いて説明する。図１に示す画像形成装置１００は、制御部１０１、記憶部１０２、データ保存部１０３、操作パネル１０４、操作パネル処理部１０５、原稿読取部１０６、画像形成部１０７、印刷部１０８、及びネットワーク通信部１０９を備えている。これらの各部は、バスなどにより接続される構成となっている。また、制御部１０１には、印刷色モード決定処理部１０１ａを備えている。記憶部１０２には、原稿コピー情報記憶エリア１０２ａを備えている。データ保存部１０３には画像データ保存エリア１０３ａを備えている。
【００１１】
制御部１０１は、ＲＡＭやＲＯＭ等の主記憶手段、及びＭＰＵ(Micro Processing Unit)やＣＰＵ(Central Processing Unit)等の制御手段を備えている。また、制御部１０１は、各種Ｉ／Ｏや、ＵＳＢ（ユニバーサル・シリアル・バス）等のインターフェイス、バスコントローラ等を含む総合的な画像形成装置１００のコントロールを行う。
印刷色モード決定処理部１０１ａは、原稿の画像のカラーページ割合と、コピーを開始するときに設定されるカラーモードまたはモノクロモードの印刷色モードとから印刷色モードを決定する処理を行う。印刷色モード決定処理部１０１ａの詳細については、後述する。
【００１２】
記憶部１０２は、フラッシュメモリー等からなる記憶装置で、制御部１０１が実行する処理のプログラムやデータを記憶する。記憶部１０２には、原稿コピー情報記憶エリア１０２ａが設けられている。
原稿コピー情報記憶エリア１０２ａは、操作パネル１０４から設定されるカラーモードまたはモノクロモードの印刷色モード、原稿サイズ、コピー用紙サイズ、及び印刷部数などの印刷を行うためのコピー情報を記憶する。
【００１３】
データ保存部１０３は、データやプログラムを保存するハードディスクドライブである。データ保存部１０３には、画像データ保存エリア１０３ａが設けられている。
画像データ保存エリア１０３ａは、原稿読取部１０６により原稿が読み取られ、画像形成部１０７によって画像処理された原稿の画像データを保存することができる。また、画像データ保存エリア１０３ａは、ネットワーク通信部１０９を経由して送信する画像データまたは受信する画像データを保存することができる。
【００１４】
操作パネル１０４は、ユーザーによる操作や設定を受け付ける。操作パネル１０４は、画像形成装置１００が備えている機能を実行するためのボタン、ユーザーによる操作を受け付けるための操作画面、及びユーザーに通知するメッセージを表示し、また機能を実行するためのボタンの押下や操作画面からの設定を入力する。
【００１５】
操作パネル処理部１０５は、画像形成装置１００が備えている機能を実行するためのボタン、ユーザーによる操作を受け付けるための操作画面、及びユーザーに通知するメッセージを操作パネル１０４に表示する処理を行い、また機能を実行するためのボタンの押下や操作画面からの設定を操作パネル１０４から入力する処理を行う。
【００１６】
原稿読取部１０６は、画像形成装置１００の原稿載置台にセットされた原稿の読み取りを行うことで原稿をデジタル化するもので、ユーザーが操作パネル１０４から印刷開始の要求を行うと、原稿読取部１０６は原稿載置台の原稿を読み取り、読み取った原稿をデジタル化した原稿データを画像形成部１０７に出力する。
【００１７】
画像形成部１０７は、原稿読取部１０６から原稿データを入力すると原稿データの画質、解像度、サイズ、回転方向、及び色などの調整を行い、原稿データからビットマップグラフィクスに変換して画像化した画像データを形成し、制御部１０１に出力する。
【００１８】
印刷部１０８は、制御部１０１から画像データを入力すると、画像データを印刷用紙に印刷する。
【００１９】
ネットワーク通信部１０９は、ネットワーク２００に接続するための着脱可能なＬＡＮインターフェイスを備えている。ＬＡＮインターフェイスには、ＴＣＰ／ＩＰ、ＡｐｐｌｅＴａｌｋ、ＳＭＢ等の各種ネットワークプロトコルのインテリジェントな送受信を行うネットワーク部を含んでいる。
【００２０】
次に、印刷色モード決定処理部１０１ａが実行する印刷色モード決定処理について、図２を用いて説明する。
【００２１】
ユーザーが原稿載置台に原稿をセットし、操作パネル１０４からカラーモードまたはモノクロモードの印刷色モード、原稿サイズ、コピー用紙サイズ、及び印刷部数などの原稿コピー情報を設定して、「コピー」ボタンを押下すると、制御部１０１が印刷色モード決定処理部１０１ａを起動する。印刷色モード決定処理部１０１ａが起動されると、印刷色モード決定処理部１０１ａは印刷色モード決定処理を開始する。以下、図２に示す印刷色モード決定処理のステップ順に説明する。
【００２２】
（ステップＳ１０１）
まず、印刷色モード決定処理部１０１ａは、記憶部１０２の原稿コピー情報記憶エリア１０２ａから原稿コピー情報を取り出す。
【００２３】
（ステップＳ１０２）
次いで、印刷色モード決定処理部１０１ａは、カラーページ数カウント値に０をセットする（カラーページ数カウント値＝０）。
【００２４】
（ステップＳ１０３）
次いで、印刷色モード決定処理部１０１ａは、モノクロページ数カウント値に０をセットする（モノクロページ数カウント値＝０）。
【００２５】
（ステップＳ１０４）
次いで、印刷色モード決定処理部１０１ａは、原稿の読み取りを指示する原稿読み取り通知を原稿読取部１０６に出力すると、原稿読取部１０６が原稿読み取り通知を入力し、原稿載置台から原稿の読み取りを行う。なお、原稿読取部１０６は原稿読み取り通知により１ページ分の原稿を読み取る。
【００２６】
（ステップＳ１０５）
次いで、印刷色モード決定処理部１０１ａは、原稿読取部１０６が原稿を読み取ったかを判定する。原稿読取部１０６が原稿を読み取ったとき（ステップＳ１０５のＹｅｓ）は、ステップＳ１０６に進む。原稿載置台に原稿がセットされていない、または原稿が全て読み取られて原稿載置台が空になったため原稿読取部１０６が原稿を読み取れなかったとき（ステップＳ１０５のＮｏ）は、ステップＳ１１１に進む。
【００２７】
（ステップＳ１０６）
ステップＳ１０５のＹｅｓにおいて、原稿読取部１０６は、原稿載置台から読み取った１ページ分の原稿をデジタル化した原稿データを作成し、画像形成部１０７に出力する。
【００２８】
（ステップＳ１０７）
次いで、画像形成部１０７が原稿データを入力すると、原稿データの画質、解像度、サイズ、回転方向、及び色などの調整を行い、原稿データからビットマップグラフィクスに変換して画像化した画像データを作成し、印刷色モード決定処理部１０１ａに出力する。
【００２９】
（ステップＳ１０８）
次いで、印刷色モード決定処理部１０１ａは、ビットマップグラフィクスに変換された画像データを入力すると、画像データの画像がカラーであるかを判定する。カラーであるとき（ステップＳ１０８のＹｅｓ）は、ステップＳ１０９に進む。モノクロであるとき（ステップＳ１０８のＮｏ）は、ステップＳ１１０に進む。
【００３０】
（ステップＳ１０９）
ステップＳ１０８のＹｅｓにおいて、印刷色モード決定処理部１０１ａは、カラーページ数カウント値に１を加算し（カラーページ数カウント値＝カラーページ数カウント値＋１）、次のページの原稿を読み取るためにステップＳ１０４に戻る。
【００３１】
（ステップＳ１１０）
ステップＳ１０８のＮｏにおいて、印刷色モード決定処理部１０１ａは、モノクロページ数カウント値に１を加算し（モノクロページ数カウント値＝モノクロページ数カウント値＋１）、次のページの原稿を読み取るためにステップＳ１０４に戻る。
【００３２】
（ステップＳ１１１）
ステップＳ１０５のＮｏにおいて、印刷色モード決定処理部１０１ａは、カラーページ数カウント値とモノクロページ数カウント値とを加算した合計ページ数カウント値を算出する（合計ページ数カウント値＝カラーページ数カウント値＋モノクロページ数カウント値）。
【００３３】
（ステップＳ１１２）
次いで、印刷色モード決定処理部１０１ａは、合計ページ数カウント値が１以上であるかを判定する。合計ページ数カウント値が１以上であるとき（ステップＳ１１２のＹｅｓ）は、ステップＳ１１３に進む。合計ページ数カウント値が１以上でないとき（ステップＳ１１２のＮｏ）は、ステップＳ１２１に進む。
【００３４】
（ステップＳ１１３）
ステップＳ１１２のＹｅｓにおいて、印刷色モード決定処理部１０１ａは、合計ページ数カウント値に対するカラーページ数カウント値の割合であるカラーページ割合を算出する（カラーページ割合＝カラーページ数カウント値／合計ページ数カウント値）。
【００３５】
（ステップＳ１１４）
次いで、印刷色モード決定処理部１０１ａは、カラーページ割合が予め決められたカラーページ割合の基準値以上であるかを判定する。カラーページ割合がカラーページ割合の基準値以上であるとき（ステップＳ１１４のＹｅｓ）は、ステップＳ１１５に進む。カラーページ割合がカラーページ割合の基準値未満であるとき（ステップＳ１１４のＮｏ）は、ステップＳ１１８に進む。カラーページ割合の基準値は予め定めて設定される。
【００３６】
（ステップＳ１１５）
ステップＳ１１４のＹｅｓにおいて、印刷色モード決定処理部１０１ａは、原稿コピー情報の印刷色モードがカラーモードであるかを判定する。印刷色モードがカラーモードであるとき（ステップＳ１１５のＹｅｓ）は、ステップＳ１１６に進む。印刷色モードがカラーモードでないとき（ステップＳ１１５のＮｏ）は、ステップＳ１１７に進む。
【００３７】
（ステップＳ１１６）
ステップＳ１１５のＹｅｓにおいて、印刷色モード決定処理部１０１ａは、画像データと原稿コピー情報とを格納した印刷要求通知を印刷部１０８に出力し、印刷色モード決定処理を終了する。なお、印刷部１０８は、印刷要求通知を入力すると、原稿コピー情報に基づいて画像データを印刷する。
【００３８】
（ステップＳ１１７）
ステップＳ１１５のＮｏにおいて、印刷色モード決定処理部１０１ａは、カラーページ割合がカラーページ割合の基準値以上である原稿に対してモノクロモードが設定されていることを通知するメッセージを、操作パネル処理部１０５により操作パネル１０４に表示し、印刷色モード決定処理を終了する。
【００３９】
（ステップＳ１１８）
ステップＳ１１４のＮｏにおいて、印刷色モード決定処理部１０１ａは、原稿コピー情報の印刷色モードがモノクロモードであるかを判定する。印刷色モードがモノクロモードであるとき（ステップＳ１１８のＹｅｓ）は、ステップＳ１１９に進む。印刷色モードがモノクロモードでないとき（ステップＳ１８のＮｏ）は、ステップＳ１２０に進む。
【００４０】
（ステップＳ１１９）
ステップＳ１１８のＹｅｓにおいて、印刷色モード決定処理部１０１ａは、画像データと原稿コピー情報とを格納した印刷要求通知を印刷部１０８に出力し、印刷色モード決定処理を終了する。なお、印刷部１０８は、印刷要求通知を入力すると、原稿コピー情報に基づいて画像データを印刷する。
【００４１】
（ステップＳ１２０）
ステップＳ１１８のＮｏにおいて、印刷色モード決定処理部１０１ａは、カラーページ割合がカラーページ割合の基準値未満である原稿に対してカラーモードが設定されていることを通知するメッセージを、操作パネル処理部１０５により操作パネル１０４に表示し、印刷色モード決定処理を終了する。
【００４２】
（ステップＳ１２１）
ステップＳ１１２のＮｏにおいて、印刷色モード決定処理部１０１ａは、原稿載置台に原稿がセットされていないことを通知するメッセージを操作パネル処理部１０５により操作パネル１０４に表示すると、印刷色モード決定処理を終了する。
【００４３】
以上のように、１ページ毎に読み取った原稿の画像がカラーであるかモノクロであるかを判定し、またカラーページ割合を算出することができる。これにより、原稿のカラーページ割合がカラーページ割合の基準値以上のときにカラーモードが設定されていれば、カラーモードでコピーを開始する。また、原稿のカラーページ割合がカラーページ割合の基準値未満のときにモノクロモードが設定されていれば、モノクロモードでコピーを開始する。しかし、原稿のカラーページ割合がカラーページ割合の基準値以上のときにモノクロモードが設定されていれば、モノクロモードが設定されている旨のメッセージを表示してコピーを開始しない。また、原稿のカラーページ割合がカラーページ割合の基準値未満のときにカラーモードが設定されていれば、カラーモードが設定されている旨のメッセージを表示してコピーを開始しない。
このような処理を行うことで、原稿にカラーであるページが少ないときには、原稿のカラーページ割合がカラーページ割合の基準値未満と判定されるので、モノクロモードで原稿を印刷することができる。また、原稿にカラーであるページが多いときにモノクロモードが設定された場合では、モノクロモードが設定されている旨のメッセージが表示されるので、ユーザーは設定が誤っているかを判断し、誤っているときにはカラーモードに変更してコピーを開始することができる。同様に、原稿がカラーであるページが少ないときにカラーモードが設定された場合では、カラーモードが設定されている旨のメッセージが表示されるので、ユーザーは設定が誤っているかを判断し、誤っているときにはモノクロモードに変更してコピーを開始することができる。
【００４４】
なお、実施形態においては、カラーページ割合の基準値を予め決めておくようにしたが、これに限定されない。例えば、ユーザーが「コピー」ボタンを押下する前に、操作パネル１０４から設定することも可能である。また、管理者だけがカラーページ割合の基準値を設定するようにし、ユーザーが変更できないようにすることも可能である。
【００４５】
また、実施形態においては、カラーページ割合を算出し、カラーページ割合がカラーページ割合の基準値以上であるかを判定したが、これに限定されない。例えば、画像の全ページに対するモノクロモード画像のページ数の割合（以下、「モノクロページ割合」という）を算出し、モノクロページ割合がモノクロページ割合の基準値以上であるかを判定することも可能である。モノクロページ割合を判定に用いる場合では、モノクロページ割合がモノクロページ割合の基準値以上であるときに印刷色モードをモノクロモードと判定し、モノクロページ割合がモノクロページ割合の基準値未満であるときに、印刷色モードをカラーモードと判定する。このようにカラーページ割合またはモノクロページ割合（総称して、「印刷色ページ割合」という）のいずれかを用いてもよい。
【００４６】
また、実施形態においては、原稿にカラーであるページが多いときにモノクロモードが設定された場合では、モノクロモードが設定されている旨のメッセージを表示したが、更に「ＯＫ」ボタン、「モード変更」ボタン、及び「キャンセル」ボタンを表示する。これにより、「ＯＫ」ボタンが押下されたときにはモノクロモードで印刷し、「モード変更」ボタンが押下されたときにはカラーモードで印刷し、「キャンセル」ボタンが押下されたときには印刷をキャンセルすることができる。
同様に、原稿がカラーであるページが少ないときにカラーモードが設定された場合では、カラーモードが設定されている旨のメッセージを表示したが、更に「ＯＫ」ボタン、「モード変更」ボタン、及び「キャンセル」ボタンを表示する。これにより、「ＯＫ」ボタンが押下されたときにはカラーモードで印刷し、「モード変更」ボタンが押下されたときにはモノクロモードで印刷し、「キャンセル」ボタンが押下されたときには印刷をキャンセルすることができる。
【００４７】
このような本発明の画像形成装置は、原稿の画像がカラーであってもモノクロで印刷でき、またカラーモードまたはモノクロモードの設定が誤っている可能性があるときに、ユーザーに確認できる。
【００４８】
以上、具体的な実施の形態により本発明を説明したが、上記実施の形態は本発明の例示であり、この実施の形態に限定されないことは言うまでもない。
【産業上の利用可能性】
【００４９】
本発明は、画像形成装置に好適であるが、画像形成装置に限られるものではなく、原稿の画像がカラーであるかモノクロであるかを判定する機能を有する装置一般に適用できる。
【符号の説明】
【００５０】
１００・・・・・画像形成装置
１０１・・・・・制御部
１０１ａ・・・・印刷色モード決定処理部
１０２・・・・・記憶部
１０２ａ・・・・原稿コピー情報記憶エリア
１０３・・・・・データ保存部
１０３ａ・・・・画像データ保存エリア
１０４・・・・・操作パネル
１０５・・・・・操作パネル処理部
１０６・・・・・原稿読取部
１０７・・・・・画像形成部
１０８・・・・・印刷部
１０９・・・・・ネットワーク通信部
２００・・・・・ネットワーク
【図１】
0006379869.tif 000002
【図２】
0006379869.tif 000003